(57)【要約】【課題】樋に液体を流して液体の流量を検出する流量測定装置において、樋を流れる液体の流量が少なくなれば、蛇行したり、斜行したりして、精確に測定できないことがあった。また、尿流量測定装置の構成部材の精度誤差や樋の形状などが個々により異なるために器差が生じ、精確な流量を得ることが難しくなっていた。【解決手段】流量を測定する液体が流れ落ちる断面略Ｖ字状の溝を形成した傾斜樋６２と、前記傾斜樋６２及び液体の質量を荷重として検出する荷重検出機構６３と、前記傾斜樋６２と略同一質量の疑似質量６６を荷重として検出する疑似荷重検出機構７０と、該荷重検出機構６３及び疑似荷重検出機構７０の検出信号を所定時間ごとに取得して前記液体の流量を算出するデータ処理部８と備えて、流量測定装置１８を構成した。また、流量測定装置１８には器差を解消するために流量の校正を行うようにした。【選択図】図２
2007108085.tif 000002
【特許請求の範囲】
【請求項１】
傾斜を有する溝を流れ落ちる液体の質量変化を検出して、該液体の流量を測定する流量測定装置において、
前記溝を断面略Ｖ字状としたことを特徴とする、
流量測定装置。
【請求項２】
流量を測定する液体が流れ落ちる断面略Ｖ字状の溝を形成した傾斜樋と、
前記傾斜樋及び液体の質量を荷重として検出する荷重検出手段と、
前記荷重検出手段の検出信号を所定時間ごとに取得して前記液体の流量を算出する流量演算手段とを、
備えることを特徴とする、
流量測定装置。
【請求項３】
前記流量測定装置に、
前記傾斜樋と略同一質量の疑似質量と、
前記疑似質量を荷重として検出する疑似荷重検出手段と、
前記荷重検出手段の検出信号より前記疑似荷重検出手段の検出信号を相殺する減算手段とを、
備えることを特徴とする、
請求項２に記載の流量測定装置。
【請求項４】
前記流量測定装置の前記流量演算手段は、
予め設定された一次式の流量算出式を用いて荷重検出手段の検出信号から液体の流量を算出し、
少なくとも複数の異なる既知流量の液体について流量を測定して得られた測定値と、既知流量値とを関連づける一次近似式を、前記流量算出式を校正した流量算出式とする校正処理を行うことを特徴とする、
請求項２又は請求項３に記載の流量測定装置。
【発明の詳細な説明】
【技術分野】
【０００１】
本発明は、尿などの液体の流量を測定するための流量測定装置に関する。
【背景技術】
【０００２】
従来、尿の流量を測定するための尿流量測定装置が知られている。
特許文献１では、従来の尿流量測定装置として、捕集容器に溜まる尿の重量変化検出することにより尿流量を測定するものや、回転する円盤に尿の流れを衝突させることにより円盤が受ける抵抗力を検出して尿流量を測定するものが、記載されている。
【０００３】
上記のような尿流量測定装置では、前者においては、捕集容器に尿を溜めなければならないために測定ごとに尿を捨てなければならない精神的苦痛があったり、後者においては、円盤の回転が安定するまでは測定できなかったり、という不具合があった。
そこで、本願発明者らは、特許文献２に記載のように、病院や特殊な施設ではなく家庭においても簡易に尿流量を測定することができる、携帯型で安価な構造の尿流量測定装置を発明した。
【０００４】
特許文献２に記載の尿流量測定装置は、捕集容器と傾斜樋と荷重センサとを備え、尿を捕集容器に放尿し、該尿が該捕集容器から傾斜樋上を自由落下して装置外へ排出される間に、傾斜樋の荷重変化を荷重センサにより検出することにより、尿の流量を測定するものである。
【特許文献１】特開昭６０−２０３２３７号公報
【特許文献３】特開２００５−３０７８８号公報
【発明の開示】
【発明が解決しようとする課題】
【０００５】
上記特許文献３において、尿流量測定装置に備えられる傾斜樋の形状は平板状であった。このため、傾斜樋を流れる液体の流量が少なくなれば、蛇行したり、斜行したりして、精確に測定できないことがあった。
また、上記特許文献３において、尿流量測定装置に備えられる荷重センサの検出具合や傾斜樋の形状などが個々の器体により異なるために器差が生じ、微量な流量の測定を行う場合には、精確な流量を得ることが難しくなっていた。
そこで、本発明では、上記課題に鑑み、上記従来技術に記載の発明をより発展させた流量測定装置を提案する。
【課題を解決するための手段】
【０００６】
本発明の解決しようとする課題は以上の如くであり、次にこの課題を解決するための手段を説明する。
【０００７】
即ち、請求項１においては、傾斜を有する溝を流れ落ちる液体の質量変化を検出して、該液体の流量を測定する流量測定装置において、前記溝を断面略Ｖ字状としたものである。
【０００８】
請求項２においては、流量を測定する液体が流れ落ちる断面略Ｖ字状の溝を形成した傾斜樋と、前記傾斜樋及び液体の質量を荷重として検出する荷重検出手段と、前記荷重検出手段の検出信号を所定時間ごとに取得して前記液体の流量を算出する流量演算手段とを、備えるものである。
【０００９】
請求項３においては、前記流量測定装置に、前記傾斜樋と略同一質量の疑似質量と、前記疑似質量を荷重として検出する疑似荷重検出手段と、前記荷重検出手段の検出信号より前記疑似荷重検出手段の検出信号を相殺する減算手段とを、備えるものである。
【００１０】
請求項４においては、前記流量測定装置の前記流量演算手段は、予め設定された一次式の流量算出式を用いて荷重検出手段の検出信号から液体の流量を算出し、少なくとも複数の異なる既知流量の液体について流量を測定して得られた測定値と、既知流量値とを関連づける一次近似式を、前記流量算出式を校正した流量算出式とする校正処理を行うものである。
【発明の効果】
【００１１】
本発明の効果として、以下に示すような効果を奏する。
【００１２】
請求項１においては、溝を流れる液体は、拡散したり蛇行したりすることなく、Ｖ字の谷間に集められて略直線的に流れることとなり、より安定した計測を行うことができる。
【００１３】
請求項２においては、溝を流れる液体は、拡散したり蛇行したりすることなく、Ｖ字の谷間に集められて略直線的に流れることとなり、より安定した計測を行うことができる。
【００１４】
請求項３においては、荷重検出手段（荷重検出機構）からの検出信号より、疑似荷重検出手段（疑似荷重検出機構）からの検出信号を相殺することにて、傾斜樋に形成された溝を流れる液体から受けた荷重のみを測定できる。よって、流量測定装置の傾きや振れにより、荷重検出機構にて検出される傾斜樋の荷重が変化することがあるが、この不具合を解消することができる。
【００１５】
請求項４においては、該流量測定装置を構成する部品の精度誤差により生じる測定誤差や、継続使用による付着物や堆積物により生じる測定誤差を、解消することができる。
【発明を実施するための最良の形態】
【００１６】
次に、発明の実施の形態を説明する。
図１は本発明の一実施例に係る流量測定システムの構成を示した図である。図２は流量測定装置の斜視図、図３は流量測定装置の正面図、図４は流量測定装置の側面図、図６は計測樋の構造を示す斜視図、図５は整流管の構成を示す側面断面図である。
図７はデータ処理部でのデータ処理の流れ図、図８は流量校正処理を説明する図、図９は尿流量率特性表の一例を示す図である。
【００１７】
まず、本発明の実施例に係る流量測定装置１８を備えた流量測定システム２０の構造について説明する。
図１に示すように、流量測定システム２０は、液体の流量を測定する流量測定装置１８と、該流量測定装置１８による測定により得られた情報を処理する情報処理装置１９とで構成される。
【００１８】
図２乃至図４に示すように、流量測定装置１８は立方枠状のフレーム６１内に構成され、計測者又は補助者が該フレーム６１に設けられた把手６１ａを把持して流量測定装置１８を支持した状態で、該流量測定装置１８に液体を導通させて、該液体の流量を測定するものである。但し、流量測定装置１８を床などに載置した状態で、液体の流量を測定することもできる。
なお、流量測定装置１８にて流量を測定する液体は、例えば、水、水溶液、血液、尿、その他の液体とすることができるが、本実施例においては、尿の流量を測定するために適した装置として構成している。
【００１９】
流量測定装置１８の前記フレーム６１は、該流量測定装置１８を構成する各要素を支持するとともに、装置の外観を形作るものである。このフレーム６１の外表面は、飛散防止や装置保護のために、アクリル板などの外板材６０で被覆される。
なお、外板材６０は透明であって、フレーム６１の内部を外部から視認することができる。但し、外板材６０を不透明の板材としたり、或いは、軽量化などのために外板材６０を設けない構成としたりすることもできる。
【００２０】
前記フレーム６１には、捕集管７４が設けられる。この捕集管７４は、流量測定装置１８に導通させる液体を捕集するとともに、該フレーム６１の外部から内部へ液体を導入させるものである。
前記捕集管７４は、フレーム６１の外部に位置する一側端部に上部開口が形成され、該上部開口より液体が該捕集管７４に流入する。また、捕集管７４は、フレーム６１の内部において下部開口が形成され、該下部開口は、捕集管７４の下部に配設された整流管７２に接続される。従って、捕集管７４の下部開口より流出した液体は整流管７２に流入することとなる。
【００２１】
なお、前記捕集管７４は、フレーム６１の外部に設けられた筒状の導入部７４ａと、前記フレーム６１の内部に固設された捕集部７４ｂとで構成される。導入部７４ａが、捕集部７４ｂに挿入されることにより、導入部７４ａと捕集部７４ｂとが接続されて、捕集管７４が形成される。
【００２２】
上述のように、導入部７４ａは捕集部７４ｂより着脱可能であることから、該導入部７４ａを取り替えて、その形状を、同径筒型、ラッパ型などに変化させることにより、目的に応じた液体の捕集を行うことができる。
例えば、流量測定システム２０を尿流量測定のために用いる場合に、前記導入部７４ａをラッパ型として、男性が放尿時にそのまま尿を捕集管７４に放出させたり、導入部７４ａを、ホースと該ホースの一側端部に漏斗を接続したものとして、女性が放尿時にそのまま尿を捕集管７４に放出させたりすることができる。
【００２３】
前記整流管７２は、捕集管７４の下部に固設されており、該整流管７２の内部には、流路７２ａが形成され、該流路７２ａを流体が流れることにより、前記捕集管７４の下部開口から流出した液体が傾斜樋６２上に導出される。
【００２４】
前記整流管７２は、液体の流れを整流するためのものである。図５にも示すように、整流管７２は、クランク状に折れ曲がった形状に形成される。本実施例においては、捕集管７４を流れる液体の略水平方向の進行方向を正方向、その逆方向を負方向としたときに、捕集管７４の下部開口より負方向に流れ落ちる第一流路Ｒ１、正方向に流れ落ちる第二流路Ｒ２、略垂直方向に流れ落ちる第三流路Ｒ３が、上方から順番に流路７２ａに形成される。
【００２５】
整流管７２の流路７２ａに流入した液体は、第一流路Ｒ１にてその流れの略水平方向成分が逆向きとなって、流れの略水平方向成分の勢いが抑えられ、第二流路Ｒ２にて流れの略水平方向成分はさらに正方向に戻され、第三流路Ｒ３にて流れの略水平方向成分が殆どない略垂直方向の流れとされたうえで、傾斜樋６２に落下する。
【００２６】
従って、流体は整流管７２の流路７２ａを流れるうちに整流されて、傾斜樋６２に流体が落下する際には、跳ねや飛散がなく束ねられた流れであって、且つ、流れの略水平方向成分が除去された状態となる。よって、流体は傾斜樋６２を自重のみを要因として流れ落ちることとなる。つまり、傾斜樋６２では流体は略一定の速さで流れ落ちるので、傾斜樋６２を流れる流体の質量変化にて流体の流速を測定する際に、測定誤差を低減することができる。
【００２７】
前記傾斜樋６２は長尺部材であって、上端部がフレーム６１内部に、下端部が該フレーム６１外部に、それぞれ位置するように傾斜を持って配置される。この傾斜樋６２により、流量測定装置１８に流量を計測する液体が流れ落ちる傾斜を持った溝が形成される。
この傾斜樋６２により形成される溝を液体が自由落下して流れるうちに、該傾斜樋６２と液体とを合わせた質量の変化が計測され、液体の流量が測定される。
【００２８】
図６にも示すように、前記傾斜樋６２は、幅方向略中央に谷を形成した断面略Ｖ字状に形成され、該傾斜樋６２により形成される溝は断面略Ｖ字状となる。これにより、傾斜樋６２に形成される溝を流れる液体は、該傾斜樋６２上を拡散したり蛇行したりすることなく、Ｖ字の谷間に集められて略直線的に流れることとなり、より安定した計測を行うことができる。
【００２９】
また、傾斜樋６２の下端部６２ａは僅かに下方へ突出して、尖端が形成される。これにより、傾斜樋６２からの液体の切れが良くなり、最後の一滴まで液体の流量を計測することができる。
【００３０】
そして、図３に示すように、傾斜樋６２を外側に延長させる延長部材８０をフレーム６１より着脱可能に設けることができる。該延長部材８０の形状や大きさは、液体の排出位置に応じて変化させることができる。この延長部材８０を設けることにより、傾斜樋６２の下端部から流れ出た液体を所望の位置に排出することができる。
【００３１】
前記傾斜樋６２には、該傾斜樋６２に形成される溝を流れる液体の質量を計測するための荷重検出機構６３が設けられる。つまり、この荷重検出機構６３では、液体と傾斜樋６２とを合わせた傾斜樋６２全体の質量を荷重として検出する。
前記荷重検出機構６３は、支持部材６７と、押圧部材６５と、ロードセル６４とで構成される。
【００３２】
前記支持部材６７は、前記傾斜樋６２の下面に接して該傾斜樋６２を支持し、押圧部材６５にその荷重を荷担させるための部材である。支持部材６７には、断面略Ｖ字状に形成された傾斜樋６２を受けるための略Ｖ字状に形成された樋受部６７ａと、押圧部材６５と連結するための板状に形成された連結部６７ｂとが設けられる。
【００３３】
また、前記押圧部材６５は、液体及び傾斜樋６２の質量を受けて、ロードセル６４を押圧する部材である。
前記押圧部材６５には、前記支持部材６７の連結部６７ｂを連結する連結部６５ａと、ロードセル６４を押圧する押圧部６５ｂとが設けられる。なお、押圧部材６５の押圧部６５ｂは、支持部６５ｃによりロードセル６４の上方に保持される。
【００３４】
前記ロードセル６４は、荷重検出手段として荷重検出機構６３に備えられ、加えられた荷重による歪みを検出する歪みゲージを具備し、歪みを電圧の変化として測定する荷重変換器である。傾斜樋６２及び該傾斜樋６２を流れる液体の質量が、前記押圧部材６５を介して前記ロードセル６４に掛かる。ロードセル６４は、前記押圧部材６５に押圧されて歪み、この歪み量（撓み量）を検出することにより、該ロードセル６４に加えられた荷重を検出する。つまり、このロードセル６４では、傾斜樋６２及び該傾斜樋６２を流れる液体の質量の変化を、電圧の変化として検出することができる。
【００３５】
前記ロードセル６４と、フレーム６１内に設けられたデータ処理部８とは、電気的に接続され、該ロードセル６４の検出信号はデータ処理部８に伝達される。
【００３６】
また、流量測定装置１８には、疑似荷重検出機構７０が設けられる。前記疑似荷重検出機構７０は、前記荷重検出機構６３と同様に、押圧部材６５と、ロードセル６４とを備え、前記傾斜樋６２と同一質量の疑似質量６６より受ける荷重を検出し、前記データ処理部８に伝達するものである。
前記疑似荷重検出機構７０は、フレーム６１内であって、前記荷重検出機構６３の近傍に配置される。これは、前記荷重検出機構６３の姿勢変化と同期して同様に、疑似荷重検出機構７０を姿勢変化させるためである。
【００３７】
前記データ処理部８は、流量測定装置１８における演算処理手段として機能するものであって、前記荷重検出機構６３及び疑似荷重検出機構７０に設けられたロードセルからの検出信号を取得して、傾斜樋６２を流れる液体の質量や、流量などを算出する処理を行うものである。
図１に示すように、データ処理部８には、減算手段１３、Ａ／Ｄ変換手段１４、リアルタイムクロック回路１２、流量演算手段１５及び出入力手段１６などが備えられ、また、データ処理部８の処理結果を表示出力する表示出力手段１０が接続される。
【００３８】
前記減算手段１３では荷重検出機構６３と疑似荷重検出機構７０からの検出信号を受けて減算処理が行われ、前記Ａ／Ｄ変換手段１４ではアナログ信号の強さを一定時間ごとに採取するサンプリング処理及びデジタル変換処理が行われ、前記流量演算手段１５ではこのデジタル信号が時系列の尿流量測定データに演算処理される。
この尿流量測定データは、前記表示出力手段１０において表示出力される。また、この尿流量測定データは、流量演算手段１５に出入力手段１６を介して接続された記憶媒体９に格納することができる。
【００３９】
また、前記流量測定装置１８には、フレーム６１に電池ケース７１が固設され、該電池ケース７１には、該流量測定装置１８への電力供給源として電池が備えられる。なお、この電池として一次電池や、二次電池を採用することができる。
但し、流量測定装置１８とＡＣ電源コンセント等を接続する電源コードを備えて、ＡＣ電源コンセントから直接電力供給を受けるように構成することもできる。
【００４０】
前記フレーム６１の上部には、スイッチ７６が設けられる。該スイッチ７６は、流量測定装置１８を計測可能状態（ＯＮ）と、停止状態（ＯＦＦ）とを切り換えるためのものである。スイッチ７６がＯＮとなれば、荷重検出機構６３及び疑似荷重検出機構７０、データ処理部８に電力が供給されて起動され、流量測定装置１８にて流量を計測可能な状態となる。
【００４１】
但し、流量測定装置１８は、自動ＯＮ／ＯＦＦ機能を備えることもできる。例えば、接触スイッチとタイマとを備え、捕集管７４に液体が流入したことによる捕集管重量の増加によって接触スイッチが切り替わって、自動的に計測可能状態（ＯＮ）となり、ＯＮとなってから所定時間後に停止状態（ＯＦＦ）に切り替わるように構成することもできる。
この場合、液体流量の測定のたびにスイッチ７６を操作する必要がなく、スイッチ７６の押し忘れによる計測ミスを防止することができる。
【００４２】
続いて、上記流量測定装置１８を用いた流量測定の流れを、図７に示す流れ図を用いて説明する。
【００４３】
先ず、流量測定装置１８の捕集管７４へ液体を流入する。この液体は整流管７２を通じて傾斜樋６２の上部へ落下し、傾斜樋６２を流れ落ちる。この間、荷重検出機構６３及び疑似荷重検出機構７０により、傾斜樋６２及び疑似質量６６の荷重が検出される。この検出信号は、データ処理部８に送信される。
【００４４】
データ処理部８の減算手段１３では、検出信号を受けて減算処理が行われる。
この減算手段１３では、荷重検出機構６３及び疑似荷重検出機構７０から検出信号を受け、荷重検出機構６３での検出値から、疑似荷重検出機構７０の検出値を相殺する処理を行うことによって、傾斜樋６２に形成された溝を流れる液体から受けた荷重のみを測定できるようにしている。
流量測定装置１８は、携帯型であるので、流量測定装置１８の傾きや振れにより、荷重検出機構６３にて検出される傾斜樋６２の荷重が変化することがあるが、この不具合を解消することができる。
【００４５】
データ処理部８のＡ／Ｄ変換手段１４では、上述の如く検出され減算処理されたアナログ信号の強さを、一定時間ごとに採取する処理が行われ（サンプリング処理過程Ｓ１）、このサンプリング処理されたデータに対して、アナログデジタル変換処理が行われる（アナログデジタル変換処理過程Ｓ２）。このとき、零点補正処理を行うこともできる。
【００４６】
データ処理部８の流量演算手段１５では、上記デジタル信号を受けて、ノイズ除去のために平均化処理が行われ（平均化処理過程Ｓ３）、そして、信号を流量データとして換算する流量換算処理が行われる（流量換算処理過程Ｓ４）。
最後に、このデータが液体の流量として、表示出力手段１０にて表示出力され、また、出入力手段１６に接続された記憶媒体９に記録される（流量出力過程Ｓ５）。
【００４７】
上述のように、流量測定装置１８では、傾斜樋６２に流れる液体の質量をサンプリングして、その質量を計測することにより、単位時間当たりの液体の量すなわち液体の流量を以下の計算式により求めることができる。
【００４８】
傾斜樋６２を流れる尿流速Ｖは、該傾斜樋６２の液体が流れる長さＬとその傾斜角θで決まる。
Ｖ＝√２ＧＨ
Ｈ＝Ｌ＊ｔａｎθ
Ｖ＝√２Ｇ＊Ｌ＊ｔａｎθ
ここで、Ｇを重力加速度、Ｈを傾斜樋６２に流れる液体の重力方向の高さである。
【００４９】
一方、傾斜樋６２に流れる液体が該傾斜樋６２に滞留する時間（Ｔ）は以下の式で示す通り傾斜樋６２の形状で決まる。
Ｔ＝Ｌ／Ｖ
Ｔ＝Ｌ／√２Ｇ＊Ｌ＊ｔａｎθ
Ｔ＝√Ｌ／２Ｇ＊ｔａｎθ
従って、Ｔ時間毎（サンプリング時間＝Ｔ）に傾斜樋６２に流れる尿質量を計測することにより、単位時間当りの流れる尿質量が計測される。実用上は尿流量変動等を考慮して、滞留時間Ｔの数倍（３回以上）のサンプリングデータを取得しその平均値とすればよい。
【００５０】
流量測定装置１８では、上述のような流量測定の流れで、液体流量を測定するが、該流量測定装置１８を構成する部品の精度により、測定結果に誤差が生じることがある。例えば、流量測定装置１８の構成要素である傾斜樋６２、ロードセル６４などの精度誤差により、該流量測定装置１８ごとに測定誤差（器差）が発生することがある。
また、継続使用のうちに、傾斜樋６２に付着物や堆積物により傾斜樋６２の質量が変化し、これによって測定誤差が生じることがある。
【００５１】
上述のような測定誤差を解消するために、実際の測定の前に、流量測定システム２０では流量校正処理が行われる。
次に、上記流量校正処理について詳細に説明する。
【００５２】
データ処理部８の流量演算手段１５は、上記流量換算処理過程Ｓ４において、図８ａに示すように、予め設定されている流量算出式［ｙ＝ａｘ＋ｂ］に基づいて、検出信号の値（電圧値）ｘから、流量ｙを算出する。なお、ａ及びｂは予め設定された定数である。
【００５３】
流量校正処理のために、流量測定装置１８では、定流量精密ポンプにより送出された液体の流量の測定を、上記流量測定の流れ（Ｓ１〜Ｓ５）に則って行う。定流量精密ポンプにより送出された液体の流量は、既知流量である。
なお、定流量精密ポンプより送出された液体の流量（既知流量）は、例えば、秤などを用いて液体の減少量を測定することにより算出することができる。
【００５４】
流量の測定は少なくとも複数の異なる既知流量値において測定を行い、各流量に対して流量測定装置１８にて計測し、流量算出式［ｙ＝ａｘ＋ｂ］に基づいて算出された値（測定値）を記録する。
そして、Ｘ軸に実際に流した液体の流量（実流量）、Ｙ軸に測定値をプロットすると、図８ｂに示すように、実流量と測定値とは、前述の器差などにより、異なる値となる。そこで、流量測定装置１８は、測定値を実流値と略等しくするために、予め設定されている流量算出式［ｙ＝ａｘ＋ｂ］の一次式の係数を適当な値に補正することにより得られる流量算出式［ｙ＝ａ’ｘ＋ｂ’］を算出する。
これが校正後の流量算出式［ｙ＝ａ’ｘ＋ｂ’］となり、図８ａに示すように、予め設定されている流量算出式［ｙ＝ａｘ＋ｂ］とは異なるものとなる。
【００５５】
上記流量演算手段１５の流量校正処理では、予め設定されている流量算出式［ｙ＝ａｘ＋ｂ］を、校正後の流量算出式［ｙ＝ａ’ｘ＋ｂ’］とする校正処理を行う。そして、実際の流量測定においては、流量演算手段１５は、校正後の流量算出式を用いて、流量の算出を行う。
【００５６】
続いて、計測された情報を処理する処理部として機能する情報処理装置１９について説明する。
【００５７】
前記情報処理装置１９は、記憶媒体９より情報を出入力するための出入力手段３１と、
前記出入力手段３１にて取得した情報に基づいて液体の流量率を算出し、図表又は表として出力するための演算処理を行う流量率算出手段３２と、
前記出入力手段３１にて取得した情報に基づいて液体の総流量を算出し、図表又は表として出力するための演算処理を行う総流量算出手段３３と、
前記流量率算出手段３２又は総流量算出手段３３の、演算処理結果を表示出力する表示出力手段３４とが、少なくとも備えられる。
なお、前記情報処理装置１９として、例えば、汎用コンピュータ５０と、該汎用コンピュータ５０に接続されたモニタ５１とを採用することができ、この場合、汎用コンピュータ５０は出入力手段３１、流量率算出手段３２及び総流量算出手段３３として機能し、モニタ５１は表示出力手段３４として機能する。
【００５８】
前記流量測定装置１８にて計測された尿流量測定データは、記憶媒体９に格納される。この記憶媒体９を出入力手段１６より取り外して、情報処理装置１９の出入力手段３１に接続する。
なお、流量測定装置１８及び情報処理装置１９に赤外線通信機能を備え、記憶媒体９に格納された情報を、流量測定装置１８から情報処理装置１９へ該赤外線通信機能を利用して伝達するように構成することもできる。
【００５９】
そして、情報処理装置１９に取得された尿流量測定データに基づいて、流量率算出手段３２は、液体の流量率を算出するとともに、該液体の流量率を図表又は表として出力するための演算を行い、表示出力手段３４にて表示出力させる。
これにより、例えば図９に示すような、排尿機能診断に必要とする尿流量率特性表を得ることができる。この尿流量率特性表より、放尿閾値、最大放尿量、平均放尿量等を知ることができる。
【００６０】
また、情報処理装置１９に取得された尿流量測定データに基づいて、総流量算出手段３３は、液体の総流量を算出する積分を行うとともに、該液体の総流量を図表又は表として出力するための演算を行い、表示出力手段３４にて表示出力させる。
これにより、例えば、排尿機能診断に必要とする排尿の総量を得ることができる。
【図面の簡単な説明】
【００６１】
【図１】本発明の一実施例に係る流量測定システムの構成を示した図。
【図２】流量測定装置の斜視図。
【図３】流量測定装置の正面図。
【図４】流量測定装置の側面図。
【図５】整流管の構成を示す側面断面図。
【図６】計測樋の構造を示す斜視図。
【図７】データ処理部でのデータ処理の流れ図。
【図８】流量校正処理を説明する図。
【図９】尿流量率特性表の一例を示す図。
【符号の説明】
【００６２】
１８  流量測定装置
１９  情報処理装置
２０  流量測定システム
６１  フレーム
６２  傾斜樋
６３  荷重検出機構
６４  ロードセル
６５  押圧部材
６７  支持部材
７０  疑似荷重検出機構
７４  捕集管
７２  整流管
【図１】
2007108085.tif 000003
【図２】
2007108085.tif 000004
【図３】
2007108085.tif 000005
【図４】
2007108085.tif 000006
【図５】
2007108085.tif 000007
【図６】
2007108085.tif 000008
【図７】
2007108085.tif 000009
【図８】
2007108085.tif 000010
【図９】
2007108085.tif 000011